(57)【要約】本発明はマスクとマトリックス基板の製作方法に関するものである。本発明のマスクは、マトリックス基板上の非有効表示区域内にファンアウト配線を製作することに用いられる。マスクはファンアウト配線パターンを含み、ファンアウト配線パターンは複数本のファンアウト印刷線を含む。各ファンアウト印刷線は所定の幅を有している。複数本のファンアウト印刷線において、少なくとも一部分のファンアウト印刷線は少なくとも１個の湾曲部分を具備する。１本のファンアウト印刷線において、湾曲部分の幅はファンアウト印刷線の所定の幅より小さい。本発明の製作方法は、マスクでマトリックス基板を製作することにより、ファンアウト配線の間の抵抗差を減少させ、表示が不均一である問題を解決することができる。
2016530547.tif 000002
【特許請求の範囲】
【請求項１】
マトリックス基板上の非有効表示区域内にファンアウト配線を製作することに用いられるマスクであって、該マスクはファンアウト配線パターンを含み、該ファンアウト配線パターンは複数本のファンアウト印刷線を含み、該複数本のファンアウト印刷線の有効長さは一致し、前記各ファンアウト印刷線は所定の幅を有しており、前記複数本のファンアウト印刷線において、少なくとも一部分のファンアウト印刷線は少なくとも１個の湾曲部分を具備し、該複数個の湾曲部分はＳ形に順番に配置され、１本のファンアウト印刷線において、前記湾曲部分の幅は前記ファンアウト印刷線の前記所定の幅より小さいマスク。
【請求項２】
前記各ファンアウト印刷線の所定の幅は一致する請求項１に記載のマスク。
【請求項３】
前記ファンアウト配線パターンの中央部に位置するファンアウト印刷線の所定の幅は、前記ファンアウト配線パターンの辺縁部に位置するファンアウト印刷線の所定の幅より小さい請求項１に記載のマスク。
【請求項４】
前記複数本のファンアウト印刷線の前記所定の幅は、前記ファンアウト配線パターンの中央部から辺縁部に向かって逓増する形状に設けられる請求項３に記載のマスク。
【請求項５】
マトリックス基板上の非有効表示区域内にファンアウト配線を製作することに用いられるマスクであって、該マスクはファンアウト配線パターンを含み、該ファンアウト配線パターンは複数本のファンアウト印刷線を含み、前記各ファンアウト印刷線は所定の幅を有しており、前記複数本のファンアウト印刷線において、少なくとも一部分のファンアウト印刷線は少なくとも１個の湾曲部分を具備し、１本のファンアウト印刷線において、前記湾曲部分の幅は前記ファンアウト印刷線の前記所定の幅より小さいマスク。
【請求項６】
前記複数個の湾曲部分はＳ形に順番に配置される請求項５に記載のマスク。
【請求項７】
前記各ファンアウト印刷線の所定の幅は一致する請求項５に記載のマスク。
【請求項８】
前記ファンアウト配線パターンの中央部に位置するファンアウト印刷線の所定の幅は、前記ファンアウト配線パターンの辺縁部に位置するファンアウト印刷線の所定の幅より小さい請求項５に記載のマスク。
【請求項９】
前記複数本のファンアウト印刷線の前記所定の幅は、前記ファンアウト配線パターンの中央部から辺縁部に向かって逓増する形状に設けられる請求項８に記載のマスク。
【請求項１０】
前記複数本のファンアウト印刷線の有効長さは一致する請求項５に記載のマスク。
【請求項１１】
マトリックス基板の製作方法であって、該製作方法は、
ガラス基板を用意し、該ガラス基板上に金属層とフォトレジスト層を順番に形成するステップと、
マスクを用意し、該マスクを利用してガラス基板に対して露光を行うステップであって、前記湾曲部分に対応する前記フォトレジスト層の部分の露光速度は他の部分の露光速度より遅く、前記マスクはファンアウト配線パターンを含み、該ファンアウト配線パターンは複数本のファンアウト印刷線を含み、該各ファンアウト印刷線は所定の幅を有しており、前記複数本のファンアウト印刷線において、少なくとも一部分のファンアウト印刷線は少なくとも１個の湾曲部分を具備し、１本のファンアウト印刷線において、前記湾曲部分の幅は前記ファンアウト印刷線の前記所定の幅より小さいステップと、
前記ガラス基板に現象を行うことにより、前記フォトレジスト層上に前記ファンアウト配線パターンを形成するステップであって、前記湾曲部分に対応する前記フォトレジスト層の部分の現象速度が他の部分の現象速度より遅いステップと、
前記金属層をエッチングすることにより、前記ガラス基板上に前記ファンアウト配線を形成するステップであって、前記湾曲部分に対応する前記金属層の部分のエッチング速度が他の部分のエッチング速度より小さいことにより、前記湾曲部分に対応するファンアウト配線の幅を前記所定の幅より小さくするか或いは等しくするステップとを含むマトリックス基板の製作方法。
【請求項１２】
前記フォトレジスト層はポジ型フォトレジストで形成され、前記ファンアウト配線パターンは非貫通形パターンである請求項１１に記載の製作方法。
【請求項１３】
前記フォトレジスト層はネガ型フォトレジストで形成され、前記ファンアウト配線パターンは貫通形パターンである請求項１１に記載の製作方法。
【請求項１４】
前記複数個の湾曲部分はＳ形に順番に配置される請求項１１に記載の製作方法。
【請求項１５】
前記各ファンアウト印刷線の所定の幅は一致する請求項１１に記載の製作方法。
【請求項１６】
前記ファンアウト配線パターンの中央部に位置するファンアウト印刷線の所定の幅は、前記ファンアウト配線パターンの辺縁部に位置するファンアウト印刷線の所定の幅より小さい請求項１１に記載の製作方法。
【請求項１７】
前記複数本のファンアウト印刷線の前記所定の幅は、前記ファンアウト配線パターンの中央部から辺縁部に向かって逓増する形状に設けられる請求項１６に記載の製作方法。
【請求項１８】
前記複数本のファンアウト印刷線の有効長さは一致する請求項１１に記載の製作方法。
【発明の詳細な説明】
【技術分野】
【０００１】
本発明は、表示装置の製作技術に関し、特にマスクとマトリックス基板の製作方法に関するものである。
【背景技術】
【０００２】
表示装置に用いられる表示パネルは、ＬＣＤ（Liquid  Crystal  Display、液晶表示）パネルとＯＬＥＤ（Organic  Light-Emitting  Diode、有機発光ダイオード）パネルを含み、フォトエッチング工程によってこれらの上に回路を形成する。
【０００３】
フォトエッチング工程は、主として、フォトレジストの塗布、露光、フォトレジストの現象及びエッチングが含まれる４つのステップを含む。ガラス基板上に金属層を形成した後、フォトレジストの塗布によって金属層上にフォトレジスト層を形成する。次に、フォトレジスト層に対して露光を行う。露光されたフォトレジスト層に対して現象を行うと、フォトレジスト層に所定の回路パターンが形成される。最後に、金属層をエッチングする。フォトレジストに覆われていない金属をエッチングするとき、残された金属によって回路が形成される。
【０００４】
周知のとおり、表示パネルは有効表示区域（ＡＡ、Active  Area）と有効表示区域の周囲に位置する非有効表示区域と含む。有効表示区域内には色々な信号ライン、例えば走査ラインとデータラインが設けられ、非有効表示区域内にはファンアウト配線が設けられる。これらのファンアウト配線の一端は前記信号ラインに接続され、他端は外部の駆動チップに接続される。図１は従来の技術の表示パネルの構造を示す図であり、図面のファンアウト配線は拡大されている。ファンアウト配線は所定の信号ラインに接続され、信号を伝送するとき、ファンアウト配線は信号伝送の負荷になる。すべてのファンアウト配線が直線である場合、周囲のファンアウト配線の有効長さは中央部のファンアウト配線の有効長さより長く、周囲のファンアウト配線の抵抗は中央部のファンアウト配線の抵抗より大きい。すなわち、異なる信号ラインが異なる負荷を有しており、信号の伝送に影響を与えるので、表示装置の画面の表示に不均一にされる。これを表示不均一（Fanout Mura）問題という。このような問題を解決するため、中央部のファンアウト配線を曲げることにより、すなわち中央部のファンアウト配線の有効長さを増加させることにより、周囲のファンアウト配線の間の抵抗差を減少させる。
【０００５】
しかしながら、従来の技術によってフォトエッチング工程を行うとき、製作技術の不足によって曲げられたファンアウト配線の幅を所定の幅にすることができないので、抵抗差が更に増加する。図２は、従来の技術の表示パネル上にファンアウト配線が形成される前の状態と配線が形成された後の状態とを示す対比図である。（ａ）部分はファンアウト配線が形成される前の湾曲部分の所定の形状を示す図であり、湾曲部分の幅は他の部分の幅と一致する。（ｂ）部分は、従来の技術のフォトエッチング工程によって形成されたファンアウト配線における湾曲部分の実際の形状を示す図であり、湾曲部分の幅は他の部分の幅より大きい。このような問題が発生した原因は下記のとおりである。露光を行うステップにおいて、光路をまっすぐにすることができないので、少量の側方向の光線が形成され、露光区域に略垂直の光線と横方向の光線とが同時照射される。（ｂ）部分のＡ区域において、ファンアウト配線のパターンに光線が照射されず、Ａ区域は三方向が覆われている。すなわち、Ａ区域の三方向には横方向の光線が照射されず、他の露光区域には略垂直の光線と横方向の光線とが同時照射されるので、Ａ区域の感光度は他の露光区域の感光度より弱く、フォトレジストの反応速度が遅い。したがって、後続の現象及びエッチングを行うとき、Ａ区域の現象速度とエッチング速度は他の露光区域より遅くなり、最後に形成されたファンアウト配線の湾曲部分にＡ区域の部分が更に形成される。これにより、ファンアウト配線の湾曲部分の幅が増加し、この部分の抵抗が小さくなるので、抵抗差が更に増加する。
【発明の概要】
【発明が解決しようとする課題】
【０００６】
本発明の目的は、ファンアウト配線の抵抗差を減少させることができるマスクとマトリックス基板の製作方法を提供することにある。
【課題を解決するための手段】
【０００７】
上述した問題を解決するため、本発明は下記のマスクを提供する。本発明のマスクは、マトリックス基板上の非有効表示区域内にファンアウト配線を製作することに用いられる。マスクはファンアウト配線パターンを含み、ファンアウト配線パターンは複数本のファンアウト印刷線を含む。複数本のファンアウト印刷線の有効長さは一致し、各ファンアウト印刷線は所定の幅を有している。複数本のファンアウト印刷線において、少なくとも一部分のファンアウト印刷線は少なくとも１個の湾曲部分を具備し、複数個の湾曲部分はＳ形に順番に配置される。１本のファンアウト印刷線において、湾曲部分の幅はファンアウト印刷線の前記所定の幅より小さい。
【０００８】
前記マスクにおいて、各ファンアウト印刷線の所定の幅は一致する。
【０００９】
前記マスクにおいて、ファンアウト配線パターンの中央部のファンアウト印刷線の所定の幅は、ファンアウト配線パターンの辺縁部のファンアウト印刷線の所定の幅より小さい。
【００１０】
前記マスクにおいて、複数本のファンアウト印刷線の所定の幅は、ファンアウト配線パターンの中央部から辺縁部に向かって逓増する形状に設けられる。
【００１１】
上述した問題を解決するため、本発明は下記のマスクを更に提供する。本発明のマスクは、マトリックス基板上の非有効表示区域内にファンアウト配線を製作することに用いられる。マスクはファンアウト配線パターンを含み、ファンアウト配線パターンは複数本のファンアウト印刷線を含む。各ファンアウト印刷線は所定の幅を有している。複数本のファンアウト印刷線において、少なくとも一部分のファンアウト印刷線は少なくとも１個の湾曲部分を具備する。１本のファンアウト印刷線において、湾曲部分の幅はファンアウト印刷線の所定の幅より小さい。
【００１２】
前記マスクにおいて、複数個の湾曲部分はＳ形に順番に配置される。
【００１３】
前記マスクにおいて、各ファンアウト印刷線の所定の幅は一致する。
【００１４】
前記マスクにおいて、ファンアウト配線パターンの中央部のファンアウト印刷線の所定の幅は、ファンアウト配線パターンの辺縁部のファンアウト印刷線の所定の幅より小さい。
【００１５】
前記マスクにおいて、複数本のファンアウト印刷線の所定の幅は、ファンアウト配線パターンの中央部から辺縁部に向かって逓増する形状に設けられる。
【００１６】
前記マスクにおいて、複数本のファンアウト印刷線の有効長さは一致する。
【００１７】
上述した問題を解決するため、本発明は下記のマトリックス基板の製作方法を更に提供する。該製作方法は、ガラス基板を用意し、該ガラス基板上に金属層とフォトレジスト層を順番に形成するステップと、いずれか一種のマスクを用意し、該マスクを利用してガラス基板に対して露光を行うステップであって、湾曲部分に対応するフォトレジスト層の部分の露光速度は他の部分の露光速度より遅いステップと、ガラス基板に現象を行うことにより、フォトレジスト層上にファンアウト配線パターンを形成するステップであって、湾曲部分に対応するフォトレジスト層の部分の現象速度が他の部分の現象速度より遅いステップと、金属層をエッチングすることにより、ガラス基板上にファンアウト配線を形成するステップであって、湾曲部分に対応する金属層の部分のエッチング速度が他の部分のエッチング速度より小さいことにより、湾曲部分に対応するファンアウト配線の幅を所定の幅より小さくするか或いは等しくするステップとを含む。
【００１８】
前記製作方法において、フォトレジスト層はポジ型フォトレジストで形成され、ファンアウト配線パターンは非貫通形パターンである。
【００１９】
前記製作方法において、フォトレジスト層はネガ型フォトレジストで形成され、ファンアウト配線パターンは貫通形パターンである。
【発明の効果】
【００２０】
上述したとおり、本発明のマスクとマスクとマトリックス基板の製作方法により、ファンアウト印刷線の湾曲部分の幅をファンアウト印刷線の所定の幅より小さくし、湾曲部分に対応するフォトレジスト層の区域の感光度を他の区域の感光度より弱くすることができる。したがって、現象及びエッチングを行うとき、湾曲部分に対応するファンアウト配線の幅を所定の幅より小さくするか或いは等しくすることができるので、ファンアウト配線の間の抵抗差を減少させ、表示が不均一である問題を解決することができる。
【００２１】
上述したことは、本発明の技術事項を説明するための概要である。本発明の技術手段をより詳細に理解するため、本明細書の実施例によって本発明を実施することができる。また、本発明の前記特徴及び発明の効果をより詳細に説明するため、以下、本発明の好適な実施例とその図面により本発明を詳細に説明する。
【図面の簡単な説明】
【００２２】
【図１】従来の技術の表示パネルの構造を示す図であり、図面のファンアウト配線は拡大されている。
【図２】従来の技術の表示パネル上にファンアウト配線が形成される前の効果と配線が形成された後の効果とを示す対比図である。
【図３】本発明の一実施例に係るマスクの構造を示す図である。
【図４】図３に示されたマスクの一本のファンアウト印刷線を示す拡大図である。
【図５】本発明の一実施例に係るマトリックス基板の製作方法を示す流れ図である。
【図６】図５の製作方法において、ガラス基板上のフォトレジスト層に露光と現象を行うときの効果を示す対比図である。
【発明を実施するための形態】
【００２３】
以下、本発明の実施例の図面により本発明の実施例に係る技術事項を詳細に説明する。下記実施例は、本発明の例示に過ぎず、本発明のすべての実施例を代表するものでない。そのため、本発明の技術分野の技術者が本発明の実施例に基づいて本発明の要旨を逸脱しない範囲の設計の変更等をしても、本発明の特許請求の範囲に含まれることは勿論である。
【００２４】
図３と図４を一緒に参照する。図３は本発明の一実施例に係るマスクの構造を示す図であり、図４は図３に示されたマスクの一本のファンアウト印刷線を示す拡大図である。
【００２５】
マスク３０は、マトリックス基板上の非有効表示区域内にファンアウト配線を製作することに用いられる。マスク３０はファンアウト配線パターン３１を含み、該ファンアウト配線パターン３１は非有効表示区域内のファンアウト配線に対応する。すなわち、マスク３０を介して露光をするとき、ファンアウト配線パターン３１によってファンアウト配線のパターンが形成される。ファンアウト配線パターン３１が扇形であるので、形成されたファンアウト配線も扇形にされる。
【００２６】
ファンアウト配線パターン３１は複数本のファンアウト印刷線３１０を含み、各ファンアウト印刷線３１０は所定の幅Ｌ１を有している。所定の幅Ｌ１は設計値に合う線の幅を意味する。複数本のファンアウト印刷線３１０において、少なくとも一部分のファンアウト印刷線３１０は少なくとも１個の湾曲部分３１１を具備する。ファンアウト印刷線３１０がファンアウト配線に対応するので、ファンアウト印刷線３１０の長さによってファンアウト配線の長さが決められる。各ファンアウト印刷線３１０の有効長さが異なる場合、各ファンアウト配線の有効長さが異なり、この結果ファンアウト配線の間の抵抗差も増加する。湾曲部分３１１によってファンアウト印刷線３１０の有効長さを増加させることができる。本実施例において、複数本のファンアウト印刷線３１０の有効長さが一致する。
【００２７】
１本のファンアウト印刷線３１０において、湾曲部分３１１の幅Ｌ２はファンアウト印刷線３１０の所定の幅Ｌ１より小さい。湾曲部分３１１を具備していないファンアウト印刷線３１０において、各位置の幅はいずれも所定の幅Ｌ１と一致する。複数個の湾曲部分３１１を具備するファンアウト印刷線３１０において、複数個の湾曲部分３１１はＳ形に順番に配置される。
【００２８】
各ファンアウト印刷線３１０の所定の幅Ｌ１として、同一の数値を採るか或いは異なる数値を採ることができる。本実施例において、各ファンアウト印刷線３１０の所定の幅Ｌ１は同一に形成されている。他の実施例において、ファンアウト配線パターン３１の中央部に位置するファンアウト印刷線３１０の所定の幅Ｌ１を、ファンアウト配線パターン３１の辺縁部に位置するファンアウト印刷線３１０の所定の幅Ｌ１より小さくすることができる。特に、複数本のファンアウト印刷線３１０の所定の幅Ｌ１を、ファンアウト配線パターン３１の中央部から辺縁部に向かって逓増する形状にすることができる。ファンアウト配線パターン３１の中央部に位置するファンアウト印刷線３１０の有効長さがファンアウト配線パターン３１の辺縁部に位置するファンアウト印刷線３１０の有効長さより小さい場合、ファンアウト配線パターン３１の中央部に位置するファンアウト印刷線３１０の所定の幅Ｌ１がファンアウト配線パターン３１の辺縁部に位置するファンアウト印刷線３１０の所定の幅Ｌ１より小さいとき、中央部に位置するファンアウト配線の単位長さの抵抗は辺縁部に位置するファンアウト配線の単位長さの抵抗より大きく、ファンアウト配線の間の抵抗差を減少させることができる。
【００２９】
図５は、本発明の一実施例に係るマトリックス基板の製作方法を示す流れ図である。該製作方法は下記のステップ含む。
【００３０】
ステップＳ５１において、ガラス基板を用意し、該ガラス基板上に金属層とフォトレジスト層を順番に形成する。
【００３１】
金属層は蒸着などの方法で形成し、フォトレジスト層は塗布などの方法で形成することができる。
【００３２】
ステップＳ５２において、マスクを用意し、該マスクを利用してガラス基板に対して露光を行う。フォトレジスト層において、湾曲部分３１１に対応する部分の露光速度は他の部分の露光速度より遅い。
【００３３】
マスクは前記実施例で説明したマスク３０である。本実施例において、フォトレジスト層はポジ型フォトレジストで形成され、ファンアウト配線パターン３１は非貫通形パターンである。すなわち、ファンアウト配線を形成するため設けたフォトレジストに光線を照射する必要がない。
【００３４】
ファンアウト印刷線３１０の湾曲部分３１１の幅Ｌ２が所定の幅Ｌ１より小さいので、湾曲部分３１１に対応するフォトレジスト層の感光度が弱いとき、湾曲部分３１１の内側の一部分のフォトレジストの化学反応性が弱い。この例として、図６を参照することができる。図６は、図５の製作方法において、ガラス基板上のフォトレジスト層に露光と現象を行うときの効果を示す対比図である。図６の（ａ）部分はフォトレジスト層に露光を行うときの効果を示す図である。マスク３０を介して露光を行うとき、湾曲部分３１１に対応するフォトレジスト層の位置、すなわちＢ区域が三方向をフォトレジストに覆われており、側方向の光線に照射されないので、感光度が弱い。したがって、Ｂ区域のフォトレジストの化学反応速度は遅く、現象速度も他の区域の現象速度より遅い。
【００３５】
ステップＳ５３において、ガラス基板に現象を行うことにより、フォトレジスト層上にファンアウト配線パターンを形成する。このとき、湾曲部分に対応するフォトレジスト層の区域の現象速度は他の区域の現象速度より遅い。
【００３６】
現象が行われたフォトレジストは図６の（ｂ）部分に示されるとおりである。（ｂ）部分はフォトレジスト層に現象を行うときの効果を示す図である。（ａ）部分のＢ区域のフォトレジストの反応速度が随分遅いので、この区域の化学性質がほとんど変化しない。現象を行うとき現象速度も随分遅いので、現象液に洗浄されず、この区域のフォトレジストを残すことができる。したがって、湾曲部分３１１に対応する（ｂ）部分のフォトレジストの幅が増加される。
【００３７】
ステップＳ５３において、金属層をエッチングすることにより、ガラス基板上にファンアウト配線を形成する。湾曲部分に対応する金属層の区域のエッチング速度が他の区域のエッチング速度より小さいので、湾曲部分に対応するファンアウト配線の幅は所定の幅より小さいか或いは等しい。
【００３８】
金属層上に残されたフォトレジストのパターンはファンアウト配線パターン３１と一致する。エッチングをするとき、Ｂ区域に保護された金属のエッチングの速度が随分遅いことにより、残されたフォトレジストのパターンとファンアウト配線パターン３１とは同一にされ、湾曲部分３１１に対応するファンアウト配線の幅は所定の幅Ｌ１より小さくなる。したがって、ファンアウト配線の間の抵抗差を低減し、表示が不均一である問題を解決することができる。
【００３９】
他の実施例において、フォトレジスト層はネガ型フォトレジストで形成され、ファンアウト配線パターン３１は貫通形パターンであることができる。ポジ型フォトレジストで形成されるか或いはネガ型フォトレジストで形成されても、Ｂ区域のフォトレジストが残されるので、マスクとマトリックス基板上のファンアウト配線の各部分の幅が同一にされ、湾曲部分３１１に対応するファンアウト配線の幅は所定の幅より小さくなる。
【００４０】
上述した方法により、本発明のマスクとマトリックス基板の製作方法は、ファンアウト印刷線の湾曲部分の幅をファンアウト印刷線の所定の幅より小さくし、湾曲部分に対応するフォトレジスト層の区域の感光度を他の区域の感光度より弱くすることができる。したがって、現象及びエッチングを行うとき、湾曲部分に対応するファンアウト配線の幅を所定の幅より小さくするか或いは等しくすることができるので、ファンアウト配線の間の抵抗差を低減し、表示が不均一である問題を解決することができる。
【００４１】
以上、これらの発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。
【符号の説明】
【００４２】
３０  マスク
３１  ファンアウト配線パターン
３１０  ファンアウト印刷線
３１１  湾曲部分
【図１】
2016530547.tif 000003
【図２】
2016530547.tif 000004
【図３】
2016530547.tif 000005
【図４】
2016530547.tif 000006
【図５】
2016530547.tif 000007
【図６】
2016530547.tif 000008
【国際調査報告】
2016530547.tif 000009
2016530547.tif 000010
2016530547.tif 000011
2016530547.tif 000012
2016530547.tif 000013
2016530547.tif 000014